(57)【特許請求の範囲】
【請求項１】
バンド留め具本体にバンド締付部材が回動自在に枢着されたバンド留め具であって、バンド留め具本体は左立上げ片と右立上げ片との下部が連結され、上部が開口した略Ｕ字形の形状であり、左立上げ片及び右立上げ片の中間部には、それぞれ対向する位置にバンド挿通孔が形成され、右立上げ片の上部の両側には、バンド締付部材を枢着するための枢着片が設けられ、枢着片の内側には、バンド締付部材の回動を規制するためのストッパーが設けられ、枢着片内の右立上げ片には、バンド締付部材の係止突起と協同してバンドを係止する複数の係止突起を設け、バンド締付部材は回動軸を変曲点とし、略くの字状に開いた上レバーと下レバーが形成され、変曲点の内側には複数の係止突起が形成されていることを特徴とするバンド留め具。
【請求項２】
バンド締付部材の複数の係止突起の断面が鋸歯状の突起で、かつ係止突起の頂部が弧状に沿って形成されていることを特徴とする請求項１記載のバンド留め具。
【請求項３】
枢着片の内側には、バンド締付部材の回動軸を枢着片に設けた枢着孔に導入するための導入溝を形成したことを特徴とする請求項１又は２記載のバンド留め具。
【発明の詳細な説明】
【０００１】
【発明の属する技術分野】
本発明は、ビニールハウスを覆っているシート材やトラックの荷台を覆っているシート材を上から緊張したバンドで抑えるため、バンドの一端をビニールハウスのフレームやトラックの掛け具等の係止部材に係止するためのバンド留め具に関する。
【０００２】
【従来の技術】
従来、ビニールハウスやトラックの荷台を覆っているシート材を抑えるバンドの一端をビニールハウスのフレーム、トラックの掛け具、ロープ等の係止部材に固定するために、バンド留め具が使用されている。
【０００３】
従来、ビニールハウスは、パイプや棒でフレームを形成し、この上をビニールシートで覆い、その上のマイカ線を緊張しながらビニールシートを抑えパイプに固定して組み立てている。
【０００４】
図５はバンド留め具を適用したビニールハウスを示す斜視図で、アーチ状をした複数本のパイプＰを平行に地上に立設し、これらの両側を地上に固定された直線状のパイプで連結してフレームを形成した後、パイプの上からビニールシートを被せ、ビニールシートＳの上からバンドＢを掛け渡し、バンドＢの一方を引っ張りながらパイプＰに固定して、ビニールシートＳを押さえ付ける。
【０００５】
図６は従来のバンド留め具の斜視図を示し、図６（ａ）は斜視図、図６（ｂ）は断面図である。
【０００６】
このバンド留め具１は、一対の方形枠体２０ａ，２０ｂと、両方形枠体２０ａ，２０ｂを連結している連結帯２１と、使用時に方形枠体２０ｂ内を左右に横切らせる状態に配置される支持杆２２とを備えている。
【０００７】
使用要領は、例えば、バンドＢの他端をビニールハウスのパイプＰに適宜な手段で固定し、次いで、一端側をパイプＢに取り付けたバンド留め具１に掛け止めする。この場合、バンド留め具１のパイプＰへの取り付けは、両方形枠体２０ａ，２０ｂの間の連結帯２１をパイプＰに巻き付け、折り返すことによって係合させる。次いで、バンドＢの一端を方形枠体２０ａ，２０ｂの一側方より他側方に向かって枠内に挿入すると共に、その他端方において、その一端を支持杆２２で迂回して、再度、隙間に挿通し、バンドＢの一端を強く引くと、この引く量に比例してバンドＢの長さが調節され、かつ緊張した状態で保持される。
【０００８】
【発明が解決しようとする課題】
バンド留め具は、バンドの長さを調整しつつ張った状態でバンドＢをパイプＰに押さえて確実に固定できるとともに、数多く用いられること、あるいは台風が接近すると一時的に解体し、その後、再組立を行うことから、取り付けと取り外しが容易であることが好ましい。
【０００９】
しかしながら、従来のバンド留め具では、長期使用によって、例えばバンドＢが弾性的に多少延びると、バンドＢの一端が張力に引かれて戻され、緊張した状態が維持されなくなる。この場合は、再度、バンドＢの一端を引っ張ってバンドを緊張させなければならない。
【００１０】
また、取付作業では、連結帯２１をパイプＰに巻き付ける状態にして両方形枠体２０ａ，２０ｂをＵ形に変形しつつ当接させ、更に方形枠体２０ａ，２０ｂに支持杆２２を配置しなければならず、また、両方形枠体２０ａ，２０ｂと支持杆２２を手で押さえた状態でバンドＢの一端を組み込まなければならないことから操作性に欠け使い勝手が悪かった。
【００１１】
さらに、ビニールハウスの解体等によって、使用したバンド留め具１を取り外す場合は、例えば、バンドＢを留め具１側へ引っ張ってバンドＢの一端との間にたわみを形成した状態で、一端を隙間側へ戻さなくてはならないため、多数の留め具を取り外す場合には、多くの時間を要し、煩わしい作業となる。
【００１２】
本発明は、緊張されたバンドを確実に係止できるとともに取り外しを迅速に行うことができる操作性に優れたバンド留め具を提供するものである。
【００１３】
【課題を解決するための手段】
本発明は、バンド留め具本体にバンド締付部材が回動自在に枢着されたバンド留め具であって、バンド留め具本体は左立上げ片と右立上げ片との下部が連結され、上部が開口した略Ｕ字形の形状であり、左立上げ片及び右立上げ片の中間部には、それぞれ対向する位置にバンド挿通孔が形成され、右立上げ片の上部の両側には、バンド締付部材を枢着するための枢着片が設けられ、枢着片の内側には、バンド締付部材の回動を規制するためのストッパーが設けられ、枢着片内の右立上げ片には、バンド締付部材の係止突起と協同してバンドを係止する複数の係止突起を設け、バンド締付部材には回動軸を変曲点とし、略くの字状に開いた上レバーと下レバーが形成され、変曲点の内側には複数の係止突起を形成したことを特徴とする。
【００１４】
バンド締付部材の複数の係止突起の断面が鋸歯状の突起で、かつ係止突起の頂部が弧状に沿って形成することができる。
【００１５】
枢着片の内側には、バンド締付部材の回動軸を枢着片に設けた枢着孔に導入するための導入溝を形成してもよい。
【００１６】
【発明の実施の形態】
図１は本発明のバンド留め具の斜視図、図２はバンド留め具を分解した状態を示し、（ａ）はバンド留め具本体の斜視図、（ｂ）はバンド締付部材の斜視図である。
【００１７】
図１に示すように、バンド留め具１は、バンド留め具本体２とバンド締付部材３とからなり、バンド留め具本体２にバンド締付部材３が回動自在に枢着されている。バンド留め具１は、耐食性、耐候性、強度、成形性等の観点から弾力性のある合成樹脂材の成形品とすることが望ましい。
【００１８】
図１及び図２（ａ）において、バンド留め具本体２は、左立上げ片４と右立上げ片５との下部が連結され、上部に開口６を有する略Ｕ字形の形状となっている。バンド留め具本体２の上部は、ビニールハウスのフレーム、トラックの掛け具、ロープ等の係止部材をバンド留め具１に入れやすいように、例えば、左立上げ片４の上部に外側に開いたテーパー片４ａを設けて上方に開いた形状にすることが好ましい。バンド留め具本体２の下部は、ビニールハウスのフレーム等の係止部材にバンド留め具１が係止できるように環状係止部７が設けられている。
【００１９】
左立上げ片４及び右立上げ片５の中間部には、それぞれ対向する位置にバンド挿通孔８，９が形成されている。
【００２０】
右立上げ片５の上部の両側には、バンド締付部材３を枢着するための枢着片１０ａ，１０ｂがそれぞれ外方に向かって設けられている。それぞれの枢着片１０ａ，１０ｂの中央部には、バンド締付部材３の両側の回動軸３ａ，３ｂを枢着するための枢着孔１１ａ，１１ｂが形成されている。また、枢着片１０ａ，１０ｂの内側の下方には、バンド締付部材３の回動を規制するためのストッパー１２が形成されている。
【００２１】
枢着片１０ａ，１０ｂ内の右立上げ片５には、バンド締付部材３の係止突起１３ａと協同してバンドを係止する複数の係止突起１３ｂを設ける。本実施例においては、係止突起１３ｂは断面が鋸歯状の突起で形成している。
【００２２】
なお、枢着片１０ａ，１０ｂの内側には、バンド留め具本体２とバンド締付部材３とを組み立てる際に、バンド締付部材３の回動軸３ａ，３ｂを枢着孔１１ａ，１１ｂに導入し易いように、導入溝１４ａ，１４ｂを形成してもよく、また、バンド留め具本体２には、バンド挿通孔８，９、環状係止部７等に必要に応じて補強のために、補強リブを形成してもよい。
【００２３】
図２（ｂ）において、バンド留め具本体２に枢着されるバンド締付部材３は、回動軸３ａ，３ｂを変曲点とし、その外側に略くの字状に開いた上レバー１６と下レバー１７が形成され、回動軸３ａ，３ｂを変曲点とし、その内側には複数の係止突起１３ｂを形成する。本実施例においては、係止突起１３ｂは断面が鋸歯状の突起で形成している。また、係止突起１３ｂの頂部は、図２（ａ）に示す係止突起１３ｂと同様に、上下に面一になるように形成してもよいが、図２（ｂ）に示すように弧状に沿って形成することにより、バンド締付部材３を回動させた時に、バンドの締付をより大きくすることができる。
【００２４】
次に、本発明のバンド留め具の使用方法について説明する。
【００２５】
図３はバンドを係止した状態を示す縦断面図、図４はバンドを外す過程を示す縦断面図である。
【００２６】
留め具本体２の上部の開口６をビニールハウスのフレームパイプＰに入れ、留め具本体２をａ方向に引っ張ると、留め具本体２の環状係止部７にフレームパイプＰが入り込み、留め具本体２はフレームパイプＰに係止される。
【００２７】
次に、ビニールハウスのフレームに他端が固定されているバンドＢの一端を留め具本体２の左立上げ片４のバンド挿通孔８と右立上げ片５のバンド挿通孔９とにバンドＢを通し、さらに、留め具本体２の係止突起１３ｂとバンド締付部材３の係止突起１３ｂとの間隙を通過させ、バンドＢの一端をバンド留め具から引き出す。この時、バンド締付部材３の下レバー１７はストッパー１２とリブとの間に位置している。
【００２８】
その後、バンドＢをａ方向に引っ張って緊張してシート材を押さえ、バンド締付部材３の上レバーを留め具本体側のｂ方向に押す。上レバー１６を押すと、下レバー１７はストッパー１２を乗り越え、バンド締付部材３の係止突起１３ａが留め具本体２の係止突起１３ｂに接近し、両者の係止突起１３ａ，１３ｂの間でバンドｂが締め付けられ、係止される。
【００２９】
このようにしてバンドＢが係止突起１３ａ，１３ｂの間で締め付けられると、バンドＢがバンド留め具から抜ける方向に力が作用した場合には、バンド締付部材３は、さらに留め具本体側のｂ方向に回動しようとするため、バンドの締付力が増すので、バンドＢがバンド留め具から抜けることはない。また、逆に、バンドＢがゆるんでも、下レバー１７がストッパー１２で止まるため、バンドＢを締め付けた状態を維持することができる。
【００３０】
次に、台風等でビニールハウスを解体する必要から、バンド留め具からバンドを取り外す場合には、図４に示すように、上レバー１６を指で手前のｃ方向に引くか、あるいはバンドＢの一端を手前のｃ方向に引いて上レバー１６を手前に引くことにより、下レバー１７をストッパー１２を乗り越え、バンド締付部材３の係止突起１３ａと留め具本体２の係止突起１３ｂとの係止状態が解除される。バンドＢを引き抜く際には、下レバー１７がストッパー１２によりバンド締付部材３の回動が規制され、係止突起１３ａ，１３ｂが係止状態になることはないので、バンドＢを迅速にかつスムーズに引き抜くことができる。
【００３１】
【発明の効果】
本発明のバンド留め具によれば、ビニールハウスのフレーム等の係止部材への取り付けは、係止部材を留め具本体のＵ形内に挿入し、バンドを取り付ける場合は、バンドの一端を各通し穴から受け部に挿通して引っ張り、レバーを上から押圧操作するだけのワンタッチ操作でバンドを確実に係止することができる。
【００３２】
また、バンドの取り外しは、バンドの取り付けと逆方向にレバーを操作するだけで、係止状態が解除され、維持されるため、迅速にバンドを取り外すことができる。
【００３３】
さらに、本発明の係止手段により緊張されたバンドの保持力をより確実に係止でき、また、長期使用によりバンドが弾性的に多少ゆるんだ場合にも保持状態を保つことができる。
【図面の簡単な説明】
【図１】  本発明のバンド留め具の斜視図である。
【図２】  バンド留め具を分解した状態を示し、図２（ａ）はバンド留め具本体の斜視図、図２（ｂ）はバンド締付部材の斜視図である。
【図３】  バンドを係止した状態を示す縦断面図である。
【図４】  バンドを外す過程を示す縦断面図である。
【図５】  バンド留め具を適用したビニールハウスを示す斜視図である。
【図６】  従来のバンド留め具の斜視図を示し、図６（ａ）は斜視図、図６（ｂ）は断面図である。
【符号の説明】
１：バンド留め具                  ２：バンド留め具本体
３：バンド締付部材                ３ａ，３ｂ：回動軸
４：左立上げ片                    ４ａ：テーパー片
５：右立上げ片                    ６：開口
７：環状係止部                    ８，９：  バンド挿通孔
１０ａ，１０ｂ：枢着片            １１ａ，１１ｂ：枢着孔
１２：ストッパー                  １３ａ，１３ｂ：係止突起
１４ａ，１４ｂ：導入溝            １５ａ，１５ｂ，１５ｃ：補強リブ
１６：上レバー                    １７：下レバー
２０ａ，２０ｂ：方形枠体          ２１：連結帯
２２：支持杆
Ｂ：バンド                        Ｐ：パイプ
Ｓ：ビニールシート
【図１】
0003939846.tif 000002
【図２】
0003939846.tif 000003
【図３】
0003939846.tif 000004
【図４】
0003939846.tif 000005
【図５】
0003939846.tif 000006
【図６】
0003939846.tif 000007